(57)【要約】【課題】構造が簡単で、製作コストが廉価であり、防水シートの厚さに影響されず、地山から出る水が二次覆工コンクリートの中に浸入することを防止し、この結果、コンクリート強度の低下やコンクリート片の落下等の重大な問題を防止できるコンクリート補強鉄筋保持用アンカー筋の施工方法を提供する。【解決手段】トンネル長手方向に所定の間隔を開けて設けられた支保工１２の内側面２１に、トンネル周方向に所定の間隔を開けて、先端部に被掛止部２３が形成された被挟持金具２２を取付け、支保工１２、一次覆工コンクリート１３及び被挟持金具２２の内側面を覆って防水シート１４をセットする工程と、基部が被挟持金具２２の被掛止部２３に掛止可能な挟持金具２５を、防水シート１４を挟んで被挟持金具２２に掛止する工程と、アンカー筋１７を挟持金具２５に固定する工程とを有する。【選択図】        図５
2004150117.tif 000002
【特許請求の範囲】
【請求項１】
トンネル掘削後の地山と二次覆工コンクリートとの間に、前記地山の内側にトンネル長手方向に所定のピッチで設けられた支保工及び該支保工間に配置された一次覆工コンクリートを介して防水シートをセットして前記地山から出る水が前記二次覆工コンクリートに浸入しないように構成し、しかも、該二次覆工コンクリート内に配置されるコンクリート補強鉄筋を、段取り筋を介して前記支保工に保持するアンカー筋を施工する方法であって、
前記支保工の内側面に、トンネル周方向に所定の間隔を開けて、先端部に被掛止部が形成された被挟持金具を取付け、
前記支保工、前記一次覆工コンクリート及び前記被挟持金具の内側面を覆って前記防水シートをセットする工程と、
基部が前記被挟持金具の被掛止部に掛止可能な挟持金具を、前記防水シートを挟んで前記被挟持金具に掛止する工程と、
前記アンカー筋を前記挟持金具に固定する工程とを有することを特徴とするコンクリート補強鉄筋保持用アンカー筋の施工方法。
【請求項２】
請求項１記載のコンクリート補強鉄筋保持用アンカー筋の施工方法において、前記挟持金具は開閉可能に左右に対向して配置された一対の挟持材と、該一対の挟持材の先端部にそれぞれ形成された突出当接部とを有し、ねじ機構からなる挟持駆動手段により前記突出当接部を前記被挟持金具の被掛止部に当接させて掛止することを特徴とするコンクリート補強鉄筋保持用アンカー筋の施工方法。
【請求項３】
請求項１及び２のいずれか１項に記載のコンクリート補強鉄筋保持用アンカー筋の施工方法において、前記アンカー筋を前記挟持金具に固定する固定手段は、前記挟持金具に形成された雌ねじ部と、前記アンカー筋に形成された雄ねじ部とを備え、前記アンカー筋の雄ねじ部を前記挟持金具の雌ねじ部にねじ込むことを特徴とするコンクリート補強鉄筋保持用アンカー筋の施工方法。
【発明の詳細な説明】
【０００１】
【発明の属する技術分野】
本発明は、地山と二次覆工コンクリートとの間に、支保工及び一次覆工コンクリートを介して防水シートをセットして、地山から出る水が二次覆工コンクリートに浸入しないように構成するトンネルの二次覆工コンクリート内に、段取り筋を介してコンクリート補強鉄筋を所定の位置に配筋するために適用するコンクリート補強鉄筋保持用アンカー筋の施工方法に関する。
【０００２】
【従来の技術】
図９に示すように、従来、上側に突出湾曲したアーチ８０と、アーチ８０の両下端に連接され下側に突出湾曲したインバート８１とを有するトンネル８２を施工する場合、アーチ８０の一部を構成する打設前の二次覆工コンクリート（アーチコンクリート）８３内に、コンクリート補強鉄筋８４を段取り筋９６を介して所定の位置に保持するために、地山８６の内側に設けられた支保工８５にアンカー筋９４を取付ける工程は以下の通りである。
（１）図１０（Ａ）〜（Ｃ）（（Ｂ）、（Ｃ）は（Ａ）のａ部を表す）に示すように、掘削直後のトンネル内の奥行き方向（トンネル長手方向）に所定のピッチ（約１．５ｍ）で、Ｈ形鋼からなって上側に突出湾曲した支保工８５を地山８６の内側に設け、隣り合う支保工８５間をＨ形鋼の内側面と同じレベルとなるように、コンクリートを吹き付けることによって一次覆工コンクリート８７を形成すると共に、支保工８５の内側面に周方向に所定の間隔を開けて短尺の雄ねじ材８８を垂直に溶接する。
（２）図１１（Ａ）〜（Ｃ）（（Ｂ）、（Ｃ）は（Ａ）のｂ部を表す）に示すように、支保工８５の内側面及び一次覆工コンクリート８７の内側面には防水シート８９をセットし、雄ねじ部が形成された雄ねじ材８８が接触する防水シート８９には、雄ねじ材８８の外径より若干大きい外径の孔を開け、該孔に雄ねじ材８８が挿通される。
（３）図１２（Ａ）、（Ｂ）及び図１５（Ａ）、（Ｂ）に示すように、雄ねじ材８８の雄ねじ部に螺合する雌ねじ材９０の雌ねじ部９１に雄ねじ材８８の雄ねじ部をねじ込み、防水シート８９を押さえて固定する。なお、雌ねじ材９０は、内側に雌ねじ部９１が形成された６角筒状の雌ねじ本体９２と、雌ねじ本体９２の先端に固着され、中央部に雄ねじ材８８の雄ねじ部が挿通する挿通孔９２ａが形成されたリング板状でゴム製のシート押え部９３とを有している。
（４）図１３（Ａ）、（Ｂ）に示すように、アンカー筋９４ａの基端部に形成された雄ねじ部９５を雌ねじ材９０の雌ねじ部９１にねじ込む。
（５）図１４（Ａ）、（Ｂ）に示すように、アンカー筋９４ａの先端部に、トンネル長手方向に沿って段取り筋９６を溶接する。
（６）段取り筋９６の内側面より内側に突出するアンカー筋９４ａの先端部はコンクリート補強鉄筋８４の設置に邪魔になるため、ガスカットして図９に示すように、所定の長さのアンカー筋９４とする（なお、必要に応じて、ガスカットせず、そのままの状態で使用する場合もある）。
（７）図９に示すように、段取り筋９６の内側面上にコンクリート補強鉄筋８４を配置し保持する。
（８）コンクリート用型枠をセットして、所定の厚さで二次覆工コンクリート８３を打設する。
【０００３】
【発明が解決しようとする課題】
しかしながら、前記従来のアンカー筋の施工方法においては、解決すべき以下のような問題があった。
地山８６から湧き出る水が、雄ねじ材８８が挿通する防水シート８９に形成された孔を介して二次覆工コンクリート８３の中に滲み込まないように、雌ねじ材９０のシート押え部９３で押し付けているが、もし施工が不良な場合には、水が二次覆工コンクリート８３に浸入するのを防止することが出来なかった。二次覆工コンクリート８３に浸入した水はやがてコンクリート補強鉄筋８４を腐食させ、二次覆工コンクリート８３の亀裂を発生させることになり、この結果、コンクリート構造物の強度が低下し、コンクリート片の落下等、重大な問題の原因となる可能性が大きかった。なお、トンネル８２の大きさ及び長さ等にもよるが、アンカー筋９４は支保工８５の円周方向に７ヶ所程度使用されるのが一般的で、トンネル８２内には数百本から数万本の雄ねじ材８８が使用されている。
なお、防水シートに孔を開けない施工方法が知られているが、未だ以下のような問題があった。即ち、プラスチックの曲げを利用した方法においては、一部にプラスチックを使用しているので、強度的に弱く、結果として使用数を増やしたり、別に補強を取る等の必要があり、手間がかかった。また、蝶番構造を利用した方法においては、構造が非常に複雑なために高価であり、寸法が正確に決まっているので、厚手の防水シートに適用することは困難であった。
【０００４】
本発明はこのような事情に鑑みてなされたもので、構造が簡単で、製作コストが廉価であり、防水シートの厚さ（通常、防水シートとして使用されている厚さ）に影響されず、地山から出る水が二次覆工コンクリートの中に浸入することを防止し、この結果、コンクリート構造物の強度の低下やコンクリート片の落下等の重大な問題を防止でき、また簡単に施工できるコンクリート補強鉄筋保持用アンカー筋の施工方法を提供することを目的とする。
【０００５】
【課題を解決するための手段】
前記目的に沿う本発明に係るコンクリート補強鉄筋保持用アンカー筋の施工方法は、トンネル掘削後の地山と二次覆工コンクリートとの間に、地山の内側にトンネル長手方向に所定のピッチで設けられた支保工及び支保工間に配置された一次覆工コンクリートを介して防水シートをセットして地山から出る水が二次覆工コンクリートに浸入しないように構成し、しかも、二次覆工コンクリート内に配置されるコンクリート補強鉄筋を、段取り筋を介して支保工に保持するアンカー筋を施工する方法であって、支保工の内側面に、トンネル周方向に所定の間隔を開けて、先端部に被掛止部が形成された被挟持金具を取付け、支保工、一次覆工コンクリート及び被挟持金具の内側面を覆って防水シートをセットする工程と、基部が被挟持金具の被掛止部に掛止可能な挟持金具を、防水シートを挟んで被挟持金具に掛止する工程と、アンカー筋を挟持金具に固定する工程とを有する。これによって、従来のように防水シートに孔を形成してアンカー筋を施工する必要が無くなる。
【０００６】
本発明に係るコンクリート補強鉄筋保持用アンカー筋の施工方法において、挟持金具は開閉可能に左右に対向して配置された一対の挟持材と、一対の挟持材の先端部にそれぞれ形成された突出当接部とを有し、ねじ機構からなる挟持駆動手段により突出当接部を被挟持金具の被掛止部に当接させて掛止することもできる。これによって、ねじ機構からなる挟持駆動手段により確実に、かつ簡単に挟持金具を被挟持金具に掛止できる。
本発明に係るコンクリート補強鉄筋保持用アンカー筋の施工方法において、アンカー筋を挟持金具に固定する固定手段は、挟持金具に形成された雌ねじ部と、アンカー筋に形成された雄ねじ部とを備え、アンカー筋の雄ねじ部を挟持金具の雌ねじ部にねじ込むこともできる。これによって、ねじ込みにより確実に、かつ簡単にアンカー筋を挟持金具に固定できる。
【０００７】
【発明の実施の形態】
続いて、添付した図面を参照しつつ、本発明を具体化した実施の形態につき説明し、本発明の理解に供する。
ここに、図１は本発明の一実施の形態に係るコンクリート補強鉄筋保持用アンカー筋の施工方法を適用するトンネルの断面図、図２（Ａ）、（Ｂ）はそれぞれ、同コンクリート補強鉄筋保持用アンカー筋の施工方法における被挟持金具を支保工に取付けた部分平断面図、部分側断面図、図３（Ａ）、（Ｂ）はそれぞれ、同コンクリート補強鉄筋保持用アンカー筋の施工方法における支保工、一次覆工コンクリート及び被挟持金具の内面を覆って防水シートをセットした部分平断面図、部分側断面図、図４（Ａ）、（Ｂ）はそれぞれ、同コンクリート補強鉄筋保持用アンカー筋の施工方法における挟持金具を、防水シートを挟んで被挟持金具に掛止した部分平断面図、部分側断面図、図５（Ａ）、（Ｂ）はそれぞれ、同コンクリート補強鉄筋保持用アンカー筋の施工方法におけるアンカー筋を挟持金具に固定する部分平断面図、部分側断面図、図６は同コンクリート補強鉄筋保持用アンカー筋の施工方法に使用する挟持金具の正面図、図７（Ａ）、（Ｂ）、（Ｃ）はそれぞれ、同コンクリート補強鉄筋保持用アンカー筋の施工方法に使用する変形例の被挟持金具及び挟持金具の一側面図、正面図、他側面図、図８（Ａ）、（Ｂ）はそれぞれ、同コンクリート補強鉄筋保持用アンカー筋の施工方法に使用する別の変形例の被挟持金具及び挟持金具の正面図、側面図である。
【０００８】
図１に示すように、本発明の一実施の形態に係るコンクリート補強鉄筋保持用アンカー筋の施工方法は、トンネル１８を建設する際、掘削後の地山１０と二次覆工コンクリート１１との間に、地山１０の内側にトンネル長手方向に所定のピッチで設けられた支保工１２及び隣り合う支保工１２間に配置された一次覆工コンクリート１３を介して防水シート１４をセットして地山１０から出る水が二次覆工コンクリート１１に浸入しないように構成し、しかも、二次覆工コンクリート１１内に配置されるコンクリート補強鉄筋１５を、段取り筋１６を介して支保工１２に保持するアンカー筋１７を施工する方法である。以下、これらについて詳しく説明する。
【０００９】
なお、図１に示すように、トンネル１８は上側に突出湾曲した実線で示すアーチ１９と、アーチ１９の両下端に連接され下側に突出湾曲した逆アーチ状の破線で示すインバート２０とを有している。また、コンクリート補強鉄筋１５は、トンネル長手方向に所定のピッチでトンネル周方向に沿って設けられた複数の主筋１５ａと、トンネル周方向に所定のピッチでトンネル長手方向に沿って設けられた複数の配力筋１５ｂとが網目状に形成された構成となっている。さらに、各アンカー筋１７は支保工１２の内側面に、トンネル周方向に所定の間隔を開けて設けられている。
【００１０】
図１に示すアンカー筋１７は、先端部に段取り筋１６が溶接された後、段取り筋１６の内側面より内側に突出する先端部をカットしたものであるが、図５（Ａ）、（Ｂ）にはそれぞれ、ガスカットされる前の状態のアンカー筋１７ａを、上側に突出湾曲したＨ形鋼からなる支保工１２の内側面２１に溶接で固定された被挟持金具２２に固定する前の状態を示している。なお、支保工１２の高さＨは、一例として約１００ｍｍとしている。
図２（Ａ）、（Ｂ）に示すように、被挟持金具２２は先端部に幅広に形成された槌形状の拡幅部２３（被掛止部）を備えており、図４（Ａ）、（Ｂ）及び図５（Ａ）、（Ｂ）に示すように、被挟持金具２２に防水シート１４を挟んで挟持金具２５の基側が掛止するようになっている。なお、防水シート１４は一例として、ウレタン製で厚さが０．７〜１．４ｍｍ程度のものを使用している。
【００１１】
図６に示すように、挟持金具２５は、板厚ｔが３．２〜４．５ｍｍ程度の矩形状の板材を曲げ加工して逆コ字状に形成され、対向して配置され開閉する左右一対の挟持材の一例である挟持片２６、２７を備えた挟持部２８と、挟持片２６の中央部に形成されたボルト挿通孔２９を挿通し、挟持片２７の中央部に形成された雌ねじ部３０に螺合する雄ねじ部３１を先端部に備えた締付ボルト３２と、締付ボルト３２の中央部が挿通する挿通孔３３が形成された直方体状のシート押付ブロック３４とを有している。挟持片２６、２７を開閉する挟持駆動手段は、挟持片２７に形成された雌ねじ部３０と締付ボルト３２を備えている。
【００１２】
図６に示すように、挟持金具２５の挟持片２６、２７の先端部はそれぞれ、対向して内側に略９０度曲げ加工された突出当接部３５、３６を備えている。締付ボルト３２の雄ねじ部３１を雌ねじ部３０にねじ込み、回転することにより、締付ボルト３２が先端側（挟持片２７側）に移動し、締付ボルト３２の頭部３７の裏面３７ａが挟持片２６を押圧することによって、挟持片２６をその回動中心Ｏの回りに、挟持片２７側に回動することができる。かかる構成によって、締付ボルト３２のねじ込みによって、挟持片２６を挟持片２７側に押し付け、図４（Ａ）、（Ｂ）及び図５（Ａ）、（Ｂ）に示すように、被挟持金具２２に被さった防水シート１４を挟んだ状態で、突出当接部３５、３６を被挟持金具２２の拡幅部２３に掛止することができる。
【００１３】
図６に示すように、挟持金具２５の挟持片２６、２７の両基端に一体的に設けられている矩形板状の取付片３８の中央部には雌ねじ部３９が形成されており、雌ねじ部３９に螺合する雄ねじ部４０が形成された押付部材４１の先端が、シート押付ブロック３４の外側面４２に当接可能に構成されている。押付部材４１の基端は、長い雌ねじ部４３が形成された筒状のアンカー筋取付部４４の基端に溶接されて一体構造となっている。かかる構成によって、アンカー筋取付部４４を回転し、雄ねじ部４０の先端を介してシート押付ブロック３４を防水シート１４側に押し付けることができる。
【００１４】
図５（Ａ）に示すように、アンカー筋１７ａの先端部には雄ねじ部４５が形成されており、雄ねじ部４５を挟持金具２５のアンカー筋取付部４４の雌ねじ部４３にねじ込んで回転することにより、アンカー筋１７ａを挟持金具２５に固定することができる。従って、アンカー筋１７ａの雄ねじ部４５と挟持金具２５のアンカー筋取付部４４の雌ねじ部４３とにより、アンカー筋１７ａの固定手段が構成されている。
【００１５】
次いで、被挟持金具２２、挟持金具２５及びアンカー筋１７ａを用いた本発明の一実施の形態に係るコンクリート補強鉄筋保持用アンカー筋の施工方法について、図を参照しながら説明する。
（１）図１に示すように、トンネル掘削直後の地山１０の内側に、現場の状況によっても変わることもあるが、トンネル長手方向に約１．５ｍのピッチで支保工１２を設ける。
（２）図２（Ａ）、（Ｂ）に示すように、隣り合う支保工１２間の地山１０に、支保工１２の内側面２１と実質的に同じレベルとなるようにコンクリートを吹き付けて一次覆工コンクリート１３を形成する。
【００１６】
（３）図１及び図２（Ａ）、（Ｂ）に示すように、支保工１２の内側面２１に周方向に所定の間隔を開けて被挟持金具２２を溶接する。
（４）図１及び図３（Ａ）、（Ｂ）に示すように、支保工１２の内側面２１、一次覆工コンクリート１３の内側面４６及び被挟持金具２２の内側面を覆って防水シート１４をセットする。
（５）図４（Ａ）、（Ｂ）に示すように、挟持金具２５の締付ボルト３２を回転することにより、防水シート１４を挟んで挟持片２６、２７を介して挟持金具２５を被挟持金具２２に掛止する。
（６）アンカー筋取付部４４を回転し、雄ねじ部４０の先端を介してシート押付ブロック３４を防水シート１４側に押し付け、挟持金具２５を固定する。
（７）図５（Ａ）、（Ｂ）に示すように、アンカー筋１７ａの雄ねじ部４５を挟持金具２５のアンカー筋取付部４４の雌ねじ部４３にねじ込むことにより、アンカー筋１７ａを挟持金具２５に固定する。
【００１７】
（８）アンカー筋１７ａの先端部に、トンネル長手方向に沿って段取り筋１６（図１参照）を溶接する。
（９）段取り筋１６の内側面より内側に突出するアンカー筋１７ａの先端部はコンクリート補強鉄筋１５の設置に邪魔にならないように、ガスカットして図１に示すアンカー筋１７とする（なお、必要に応じて、ガスカットせず、アンカー筋１７ａのままで使用する場合もある）。
（１０）図１に示すように、段取り筋１６の内側面上にコンクリート補強鉄筋１５を配置し保持する。
（１１）コンクリート用型枠をセットして、所定の厚さＴで二次覆工コンクリート１１を打設する。
【００１８】
図７（Ａ）、（Ｂ）、（Ｃ）には、被挟持金具２２及び挟持金具２５の変形例である被挟持金具４７及び挟持金具４８を示す。
図７（Ｂ）に示すように、被挟持金具４７は矩形状の板材４９と、板材４９の先端部の両側面に溶接により取付けられた短尺の丸鋼からなる被挟持片５０、５１とを有している。従って、被挟持金具４７においては、板材４９に設けられた被挟持片５０、５１により先端部の幅が広くなっている。
【００１９】
図７（Ａ）、（Ｂ）、（Ｃ）に示すように、挟持金具４８は厚さが３．２〜４．５ｍｍ程度の板材を曲げ加工して形成されており、被挟持金具４７の被挟持片５０、５１を挟んで、対向して配置された一対の挟持材の一例である雄、雌側挟持片５２、５３を有している。雄、雌側挟持片５２、５３の先端部には、被挟持片５０、５１の外周面の外側の略（１／４）以上に当接可能な突出当接部５４、５５が形成されている。雄側挟持片５２は正面視して略Ｌ字形に形成されており、突出当接部５４に一体的に連結された側面部５６の中央部には、雌ねじ部５７が形成されている。側面部５６に一体的に連結された後面部５８の中央部にも、雌ねじ部５９が形成されている。後面部５８の先端部には幅が狭くなったスライド部６０が形成されている。
【００２０】
一方、雌側挟持片５３は正面視して略Ｉ字形に形成されており、突出当接部５５に一体的に連結された側面部６１の中央部には、ボルト挿通孔６２が形成されている。側面部６１の後端部には、雄側挟持片５２のスライド部６０が摺動する断面が長尺矩形状のガイド孔６３が形成されている。雄、雌側挟持片５２、５３の側面部５６、６１間には、直方体状のシート押付ブロック６４が配置されており、シート押付ブロック６４には、雌側挟持片５３のボルト挿通孔６２を挿通し、雄側挟持片５２の雌ねじ部５７に螺合する雄ねじ部６５が先端部に形成され、かつ基端部に頭部６６を備えた締付ボルト６７の長さ方向の中間部が挿通する挿通孔６８が形成されている。
【００２１】
さらに、雄側挟持片５２の後面部５８の中央部には雌ねじ部５９が形成されており、雌ねじ部５９には、アンカー筋６９の基端部に形成された雄ねじ部６９ａが螺合して、アンカー筋６９が挟持金具４８に固定されるようになっている。従って、挟持金具４８の挟持駆動手段は、雄側挟持片５２の雌ねじ部５７と締付ボルト６７を備えており、また、アンカー筋６９の雄ねじ部６９ａと挟持金具４８の雄側挟持片５２の雌ねじ部５９とにより、アンカー筋６９の固定手段が構成されている。
かかる構成によって、被挟持金具４７を覆う防水シート（図示せず）を介して、挟持金具４８の締付ボルト６７を回転することにより、対向する雄、雌側挟持片５２、５３が接近して（閉じて）、突出当接部５４、５５を介して被挟持金具４７の被挟持片５０、５１を掛止することができる。
【００２２】
図８（Ａ）、（Ｂ）には、被挟持金具２２及び挟持金具２５の別の変形例である被挟持金具７０及び挟持金具７１を示す。
被挟持金具７０は正面視して瓢箪状に形成されており、先端部と基端部にはそれぞれ、断面円状に形成された拡幅部７０ａと取付部７０ｂとを有している。
挟持金具７１は、被挟持金具７０の中央部を両側から挟持し、対向して配置された対となる挟持材７２、７３と、挟持材７２、７３の基端部がその外周面に溶接され、異形棒鋼からなるアンカー筋取付部材７４とを備えている。
【００２３】
挟持材７２、７３はそれぞれ、アンカー筋取付部材７４に固定され所定の形状に曲げられた２本の長尺の丸鋼７５、７６と、丸鋼７５、７６の内側に曲げられた先端に溶接された短尺直線状の丸鋼７５ａとを備えている。従って、丸鋼７５ａは突出当接部を構成することになる。挟持材７２の長さ方向の中間位置の丸鋼７５、７６間にナットからなる雌ねじ部７７が溶接で取付けられている。一方、挟持材７３の長さ方向の中間位置の丸鋼７５、７６間を、雌ねじ部７７に螺合する雄ねじ部７８が形成された締付ボルト７９が挿通し、締付ボルト７９の頭部７９ａの裏面に取付けられた円板状の座板７９ｂが丸鋼７５、７６に当接するようになっている。
かかる構成によって、締付ボルト７９の回転により挟持金具７１を被挟持金具７０に掛止でき、かつ、アンカー筋取付部材７４にアンカー筋（図示せず）を固定することができる。
【００２４】
本発明は前記した実施の形態に限定されるものではなく、本発明の要旨を変更しない範囲での変更は可能であり、例えば、前記したそれぞれの実施の形態や変形例の一部又は全部を組み合わせて本発明のコンクリート補強鉄筋保持用アンカー筋の施工方法を構成する場合も本発明の権利範囲に含まれる。
前記実施の形態においては、支保工１２を設置した後に、支保工１２の内側面２１に被挟持金具２２を溶接したが、これに限定されず、必要に応じて、支保工１２を設置する前に、支保工１２に被挟持金具２２を溶接することもできる。
一次覆工コンクリート１３は現場でコンクリートを吹き付けて構成したが、これに限定されず、必要に応じて、予め工場で製作した鉄筋コンクリートセグメントを現場で取付けることによって構成することもできる。
【００２５】
挟持金具は開閉する左右一対の対向して配置された挟持材と、左右一対の挟持材の先端部にそれぞれ形成された突出当接部とを有し、ねじ機構からなる挟持駆動手段により突出当接部を被挟持金具の拡幅部に当接させて掛止するように構成したが、これに限定されず、必要に応じて、その他の挟持構造の挟持金具及び被挟持金具、また、その他の構造の挟持駆動手段を採用することもできる。
アンカー筋の挟持金具への固定手段は、挟持金具の雌ねじ部にアンカー筋の雄ねじ部をねじ込むように構成したり、又は挟持金具にアンカー筋を溶接するように構成したが、これに限定されず、必要に応じて、その他の構造の固定手段を用いても構わない。
防水シート１４をアーチ１９に設けたが、水の侵入を防止する目的で、インバートにも防水シートを使用することも有り、段取り筋を取付ける場合、本発明の防水シートを使用することができる。
【００２６】
【発明の効果】
請求項１〜３記載のコンクリート補強鉄筋保持用アンカー筋の施工方法においては、防水シートに孔を開けないでアンカー筋を施工することができるので、従来の防水シートに孔を開ける方法と比較して、地山から出る水が二次覆工コンクリートの中に浸入することを確実に防止することができ、この結果、コンクリート構造物の強度の低下やコンクリート片の落下等の重大な問題の原因となる可能性を小さくでき、しかも簡単に施工できる。また、従来の防水シートに孔を開けない方法と比較して、構造が簡単で、製作コストが安価で、しかも防水シートの厚さに影響を受けることなく施工できる。
特に、請求項２記載のコンクリート補強鉄筋保持用アンカー筋の施工方法においては、ねじ機構からなる挟持駆動手段により確実に、かつ簡単に挟持金具を被挟持金具に掛止できるので、作業性が向上し、施工期間を短縮できる。
請求項３記載のコンクリート補強鉄筋保持用アンカー筋の施工方法においては、ねじ込みにより確実に、かつ簡単にアンカー筋を挟持金具に固定できるので、作業性が向上し、施工期間を短縮できる。
【図面の簡単な説明】
【図１】本発明の一実施の形態に係るコンクリート補強鉄筋保持用アンカー筋の施工方法を適用するトンネルの断面図である。
【図２】（Ａ）、（Ｂ）はそれぞれ、同コンクリート補強鉄筋保持用アンカー筋の施工方法における被挟持金具を支保工に取付けた部分平断面図、部分側断面図である。
【図３】（Ａ）、（Ｂ）はそれぞれ、同コンクリート補強鉄筋保持用アンカー筋の施工方法における支保工、一次覆工コンクリート及び被挟持金具の内面を覆って防水シートをセットした部分平断面図、部分側断面図である。
【図４】（Ａ）、（Ｂ）はそれぞれ、同コンクリート補強鉄筋保持用アンカー筋の施工方法における挟持金具を、防水シートを挟んで被挟持金具に掛止した部分平断面図、部分側断面図である。
【図５】（Ａ）、（Ｂ）はそれぞれ、同コンクリート補強鉄筋保持用アンカー筋の施工方法におけるアンカー筋を挟持金具に固定する部分平断面図、部分側断面図である。
【図６】同コンクリート補強鉄筋保持用アンカー筋の施工方法に使用する挟持金具の正面図である。
【図７】（Ａ）、（Ｂ）、（Ｃ）はそれぞれ、同コンクリート補強鉄筋保持用アンカー筋の施工方法に使用する変形例の被挟持金具及び挟持金具の一側面図、正面図、他側面図である。
【図８】（Ａ）、（Ｂ）はそれぞれ、同コンクリート補強鉄筋保持用アンカー筋の施工方法に使用する別の変形例の被挟持金具及び挟持金具の正面図、側面図である。
【図９】従来例に係るコンクリート補強鉄筋保持用アンカー筋の施工方法を適用するトンネルの断面図である。
【図１０】（Ａ）、（Ｂ）、（Ｃ）はそれぞれ、同コンクリート補強鉄筋保持用アンカー筋の施工方法における被挟持金具を支保工に取付けたトンネルの側断面図、部分平断面図、部分側断面図である。
【図１１】（Ａ）、（Ｂ）、（Ｃ）はそれぞれ、同コンクリート補強鉄筋保持用アンカー筋の施工方法における支保工、一次覆工コンクリート及び被挟持金具の内面を覆って防水シートをセットしたトンネルの側断面図、部分平断面図、部分側断面図である。
【図１２】（Ａ）、（Ｂ）はそれぞれ、同コンクリート補強鉄筋保持用アンカー筋の施工方法における雌ねじ材により防水シートを固定する部分平断面図、部分側断面図である。
【図１３】（Ａ）、（Ｂ）はそれぞれ、同コンクリート補強鉄筋保持用アンカー筋の施工方法における雌ねじ材にアンカー筋を固定する部分平断面図、部分側断面図である。
【図１４】（Ａ）、（Ｂ）はそれぞれ、同コンクリート補強鉄筋保持用アンカー筋の施工方法におけるアンカー筋に段取り筋を溶接した部分平断面図、部分側断面図である。
【図１５】（Ａ）、（Ｂ）はそれぞれ、同コンクリート補強鉄筋保持用アンカー筋の施工方法に使用する雌ねじ材の正断面図、平面図である。
【符号の説明】
１０：地山、１１：二次覆工コンクリート、１２：支保工、１３：一次覆工コンクリート、１４：防水シート、１５：コンクリート補強鉄筋、１５ａ：主筋、１５ｂ：配力筋、１６：段取り筋、１７：アンカー筋、１７ａ：アンカー筋、１８：トンネル、１９：アーチ、２０：インバート、２１：内側面、２２：被挟持金具、２３：拡幅部、２５：挟持金具、２６、２７：挟持片（挟持材）、２８：挟持部、２９：ボルト挿通孔、３０：雌ねじ部、３１：雄ねじ部、３２：締付ボルト、３３：挿通孔、３４：シート押付ブロック、３５、３６：突出当接部、３７：頭部、３７ａ：裏面、３８：取付片、３９：雌ねじ部、４０：雄ねじ部、４１：押付部材、４２：外側面、４３：雌ねじ部、４４：アンカー筋取付部、４５：雄ねじ部、４６：内側面、４７：被挟持金具、４８：挟持金具、４９：板材、５０、５１：被挟持片、５２：雄側挟持片（挟持材）、５３：雌側挟持片（挟持材）、５４、５５：突出当接部、５６：側面部、５７：雌ねじ部、５８：後面部、５９：雌ねじ部、６０：スライド部、６１：側面部、６２：ボルト挿通孔、６３：ガイド孔、６４：シート押付ブロック、６５：雄ねじ部、６６：頭部、６７：締付ボルト、６８：挿通孔、６９：アンカー筋、６９ａ：雄ねじ部、７０：被挟持金具、７０ａ：拡幅部、７０ｂ：取付部、７１：挟持金具、７２、７３：挟持材、７４：アンカー筋取付部材、７５：丸鋼、７５ａ：丸鋼（突出当接部）、７６：丸鋼、７７：雌ねじ部、７８：雄ねじ部、７９：締付ボルト、７９ａ：頭部、７９ｂ：座板
【図１】
2004150117.tif 000003
【図２】
2004150117.tif 000004
【図３】
2004150117.tif 000005
【図４】
2004150117.tif 000006
【図５】
2004150117.tif 000007
【図６】
2004150117.tif 000008
【図７】
2004150117.tif 000009
【図８】
2004150117.tif 000010
【図９】
2004150117.tif 000011
【図１０】
2004150117.tif 000012
【図１１】
2004150117.tif 000013
【図１２】
2004150117.tif 000014
【図１３】
2004150117.tif 000015
【図１４】
2004150117.tif 000016
【図１５】
2004150117.tif 000017